(57)【要約】【課題】収穫することができる花などがなる陽光桜２の収穫時期を、陽光桜２を栽培する栽培地全体で延長することができる陽光桜２の栽培方法を提供することを目的とする。【解決手段】この発明は、収穫することができる花などがなる陽光桜２の樹高の上方において、水平方向に対して所定の大きさを有するとともに、所定の間隔を空けて配置された板状のパネル１３を備える日陰栽培地Ｙと、収穫可能な陽光桜２を露地栽培する日向栽培地Ｘとで陽光桜２を育成した。【選択図】図１
2016054725.tif 000002
【特許請求の範囲】
【請求項１】
収穫可能な植物の高さに対して上方において、所定の大きさを有するとともに、
所定の間隔で配置する遮蔽物を備える日陰栽培地と、
前記植物を露地栽培する日向栽培地と、
前記植物を育成する
植物の育成方法。
【請求項２】
所定の高さを有するとともに、所定の間隔で配設した前記遮蔽物を支える支柱と、
前記遮蔽物より下方において、所定の高さを有し、前記支柱間を連接する誘引連結材を備えた
請求項１に記載の植物の育成方法。
【請求項３】
前記遮蔽物の面積を、
前記日陰栽培地の面積に対して２５％以上４０％以下とした
請求項１又は２に記載の植物の育成方法。
【請求項４】
前記植物の生殖生長期における植物の高さと東西方向に対する葉張りを設定するとともに、
前記植物の高さ及び東西方向に対する葉張りと前記植物に必要な日照時間に基づいて、
前記遮蔽物の東西方向に対する幅及び間隔並びに前記遮蔽物の高さのうち少なくとも一つに関して設定する
請求項１乃至３のうちいずれかに記載の植物の育成方法。
【請求項５】
生殖生長期における前記植物の高さと南北方向に対する葉張りを設定するとともに、
前記植物の高さ及び南北方向に対する葉張りと前記日陰栽培地の緯度とに基づいて、
南北方向に対する前記遮蔽物の幅及び隣り合う前記遮蔽物との間隔、並びに前記遮蔽物の高さのうち少なくとも一つに関して設定する
請求項１乃至４のうちいずれかに記載の植物の育成方法。
【請求項６】
前記植物の生殖生長期における植物の高さと南北方向に対する葉張りを設定するとともに、
前記日陰栽培地の緯度と、南北方向に対する前記遮蔽物の高さ及び幅、並びに前記遮蔽物と南北方向に隣り合う前記遮蔽物との間隔のうち少なくとも一つに関する配置に基づいて、
前記遮蔽物に対する南北方向の前記植物を植える位置を定める
請求項１乃至４のうちいずれかに記載の植物の育成方法。
【請求項７】
前記遮蔽物が、太陽光パネルであることを特徴とする
請求項１乃至６のうちいずれかに記載の植物の育成方法。
【請求項８】
前記植物を、陽光桜とする
請求項１乃至７のうちいずれかに記載の植物の育成方法。
【発明の詳細な説明】
【技術分野】
【０００１】
この発明は、例えば、露地栽培において収穫可能な植物の収穫時期を調整する植物の育成方法に関する。
【背景技術】
【０００２】
植物の収穫時期は、気温や日照時間などの生育条件と関係があることが知られており、生育条件が同じ場合には、その植物は同時期に一斉に開花し結実する。一般に、同じ農家で栽培している植物の栽培条件は同じであるため、収穫時期は、その植物の開花時期などに応じて集中することとなり、収穫のために人手を集中する必要があった。
【０００３】
特に、収穫に適した花や実を結ぶ期間が短い植物の花や果実などを収穫する場合には、収穫時期に人手をより集中させる必要がある。このことは、農家の負担が増すこととなるため、収穫時期を調整することが課題となっている。
【０００４】
このような課題に対し、例えば特許文献１に開示されているような、人工光を植物に照射することで、植物の育成が健全に促進されるような植物の育成方法が提供されており、これにより、植物の収穫時期を調整することができると考えられる。
【０００５】
詳述すると、特許文献１に記載する発明には、曇りや降雨で太陽光が弱くなる時や、朝夕の時間帯や夜間に人工光を照射することにより、日照不足の改善や日照時間を延長することができるとされている。これにより、茎や根の成長を促し、収穫時期を早めることができるとされている。
【０００６】
しかしながら、このような植物の育成方法は、植物の成長を促進し収穫時期を早めることなどができるが、収穫時期が集中することには変わりがなく、収穫時期に人手を集中させる必要があった。
【先行技術文献】
【特許文献】
【０００７】
【特許文献１】特開２０１２−１２８０１８号公報
【発明の概要】
【発明が解決しようとする課題】
【０００８】
この発明は、上述した問題を鑑み、収穫可能な植物の収穫時期を延長することができる植物の育成方法を提供することを目的とする。
【課題を解決するための手段】
【０００９】
この発明は、収穫可能な植物の高さに対して上方において、所定の大きさを有するとともに、所定の間隔で配置する遮蔽物を備える日陰栽培地と、前記植物を露地栽培する日向栽培地とで前記植物を育成する育成方法であることを特徴とする。
【００１０】
前記収穫可能な植物とは、穀物、野菜、果物、花などが成る植物を含む概念であり、草本植物のみならず、木本植物も含まれる。具体的には、日向植物のみならず、半日陰でも育成できる植物、例えば、紫蘇、榊、樒、椿、菊芋、センリョウ、マンリョウ、ナンテン、ケール、ニンニク、ハーブ類などを含む概念である。  
なお、前記収穫可能な植物としては数年間植え替えを必要としない永年植物が好ましい。植え替え作業などを行う必要が少ないためである。
【００１１】
ここで木本植物は、低木、中木、高木を含めた概念であり、本明細書において、樹高が１．０ｍ以下に調整可能な木を低木、１．０〜４．０ｍ未満の樹高に調整可能な木を中木、樹高が４．０ｍ以上となる木を高木と定義する。
【００１２】
この発明により、収穫可能な前記植物の収穫時期を延長することができる。  
詳述すると、前記植物の上方において、所定の大きさを有するとともに、所定の間隔で配置する前記遮蔽物により、日陰栽培地に日陰を作ることができる。前記日陰は、太陽の移動に伴って移動するため、前記遮蔽物の大きさ、高さ及び間隔を調整することにより、前記植物の日照時間を調整することができる。  
また、前記日陰栽培地に前記遮蔽物を設置し日陰を作ることにより、前記日陰栽培地の気温を日向培地に比べ低くすることができる。
【００１３】
前記植物の日照時間を調整すること及び前記日陰栽培地の気温を日向培地に比べ低くすることにより、日陰栽培地で栽培する前記植物の開花時期などを日向栽培地に対して遅らせることができ、日向栽培地と日陰栽培地全体での収穫時期を延長することができる。したがって、先に収穫時期を向かえた栽培地で栽培した前記植物の花などを収穫し、その後に、後に収穫時期を向かえた前記植物の花などを収穫することができ、栽培地全体での収穫時期を延長することができるとともに、収穫に要する人手を分散することができる。
【００１４】
またこの発明の態様として、所定の高さを有するとともに、所定の間隔で配設した前記遮蔽物を支える支柱と、前記遮蔽物より下方において、所定の高さを有し、前記支柱間を連接する誘引連結材を備える構成とすることができる。
【００１５】
前記誘引連結材とは、紐状、棒状及び板状のものを含む概念であり材質は問わない。具体的には、繊維を束ねた紐や縄などの他、ワイヤーなどであってもよく、木製や金属製、高分子樹脂からなる棒状や板状のものであってもよい。
【００１６】
この発明により、前記植物を所定の高さに誘引することができ、収穫の対象である植物の花や果実を所定の高さで開花、結実させることができる。したがって、収穫する際に、例えば、収穫者は脚立に登るなどすることなく、花や果実を効率的にかつ安全に収穫することができる。
【００１７】
またこの発明の態様として、前記遮蔽物の面積を、前記日陰栽培地の面積に対して２５％以上４０％以下とした構成とすることができる。  
この発明により、前記日陰栽培地で栽培する前記植物の収穫時期を前記日向栽培地での収穫時期に比べて遅らせることができるとともに、前記植物の収穫量を一定以上確保することができる。
【００１８】
詳述すると、前記遮蔽物の面積が前記日陰栽培地の面積の２５％未満である場合、前記日向栽培地の日照量と比べ前記日陰栽培地の一日当たりの日照量を十分に低減することができず、前記日陰栽培地で栽培する前記植物の収穫時期が、前記日向栽培地で栽培している前記植物の収穫時期に対して優位な差が得られないこととなる。
【００１９】
また、遮蔽物の面積が前記日陰栽培地の面積の４０％よりも大きい場合、前記植物の成長に必要な日照量が十分に確保されないため、前記日陰栽培地で栽培される前記植物の収穫量が、例えば二割以上減ることとなる。
【００２０】
このことから、前記日陰栽培地に備えた前記遮蔽物を、前記日陰栽培地の面積に対して該遮蔽物の面積が２５％以上４０％以下とすることで、前記日陰栽培地で栽培する前記植物の収穫時期を前記日向栽培地での収穫時期に比べて遅らせることができるとともに、前記植物の収穫量を一定以上確保することができる。
【００２１】
なお、より好ましくは前記遮蔽物の面積が、前記日陰栽培地の面積の３０％以上３５％以下であるほうがよい。前記遮蔽物の面積を、前記日陰栽培地の面積に対して３０％以上３５％以下とすることにより、より確実に前記日陰栽培地で栽培する前記植物の収穫時期を前記日向栽培地での収穫時期に比べて遅らせることができるためである。
【００２２】
またこの発明の態様として、前記植物の生殖生長期における植物の高さと東西方向に対する葉張りを設定するとともに、前記植物の高さ及び東西方向に対する葉張りと前記植物に必要な日照時間に基づいて、前記遮蔽物の東西方向に対する幅及び間隔並びに前記遮蔽物の高さのうち少なくとも一つに関して設定することができる。
【００２３】
前記植物の生殖生長期における高さとは、前記植物が開花や結実することが可能な状態の植物の高さをいうが、自然な状態で成長した場合の高さだけでなく、例えば剪定により調整した高さや、誘引することにより調整した高さを含む概念である。  
また前記葉張りとは、前記植物を中木などとした場合における、枝張りを含む概念である。
【００２４】
これにより、日陰栽培地で栽培する前記植物の日照時間を、所望の日照時間となるように調整して前記植物を栽培することができる。  
具体的には、前記植物の高さ及び東西方向に対する葉張りを、生殖生長期における前記植物の高さ及び東西方向に対する葉張りと設定し、前記植物の生育に必要な日照時間を考慮し、前記遮蔽物の東西方向に対する幅及び間隔並びに高さのいずれか一つに関して設定することにより、日陰栽培地で栽培する前記植物が日光に照射される時間を、前記植物の成長に必要な最低限以上の日照時間とするとともに、日陰栽培地で栽培する前記植物の日照時間が、日向栽培地で栽培する植物の日照時間と比較して、少なくなるように前記植物を栽培することができる。
【００２５】
したがって、日陰栽培地で栽培する植物の成長に必要な日照時間を確保しつつ、前記日向栽培地で栽培する前記植物と比較して、収穫時期を遅らせることなどができ、収穫に必要な人手を分散することができる。
【００２６】
これにより、日陰栽培地で栽培する植物を良質な状態としつつ、日陰栽培地で栽培する前記植物の成長を段階的に調整することができ、収穫に要する人手をより分散することができる。
【００２７】
またこの発明の態様として、生殖生長期における前記植物の高さと南北方向に対する葉張りを設定するとともに、前記植物の高さ及び南北方向に対する葉張りと前記日陰栽培地の緯度とに基づいて、南北方向に対する前記遮蔽物の幅及び隣り合う前記遮蔽物との間隔並びに前記遮蔽物の高さのうち少なくとも一つに関して設定することができる。
【００２８】
これにより、緯度を考慮し、時期に合わせて日照時間を調整することができる。  
具体的には、前記植物の高さ及び葉張りを、生殖生長期における前記植物の高さ及び南北方向に対する葉張りと設定し、前記日陰栽培地の緯度、前記遮蔽物の高さ及び南北方向に対する葉張りに基づいて、前記植物の樹高に対する、前記遮蔽物の南北方向に対する幅及び間隔並びに前記遮蔽物の高さのいずれか一つに関して設定することができる。すなわち、前記日陰栽培地の緯度に基づいて算出した太陽高度を考慮して、前記植物の高さに対する、前記遮蔽物の南北方向の幅及び間隔並びに高さを設定することができ、栽培地の緯度に適した遮蔽物の高さ並びに南北方向に対する幅及び間隔を考慮して遮蔽物を設置することができる。
【００２９】
したがって、日照時間が短い冬場には、可能な限り植物が日陰に入らないように調整するとともに、夏場には必要以上に日光が当たらないように調整することができる。
【００３０】
またこの発明の態様として、前記植物の生殖生長期における植物の高さと南北方向に対する葉張りを設定するとともに、前記日陰栽培地の緯度と南北方向に対する前記遮蔽物の高さ及び幅並びに前記遮蔽物と南北方向に隣り合う前記遮蔽物との間隔のうち少なくとも一つに関する配置に基づいて、前記遮蔽物に対する南北方向の前記植物を植える位置を定めることができる。  
この発明により、前記植物の生殖生長期の高さ及び葉張り並びに栽培地の緯度に基づいて、時期に応じて所定の日照時間を確保することができる位置に前記植物を栽培する位置を決めることができる。
【００３１】
具体的には、前記日陰栽培地の緯度に基づいて、前記遮蔽物の高さ及び南北方向に対する幅及び間隔のいずれか一つに関する配置と、前記植物の生殖生長期の高さ及び葉張りに基づいて、時期によっては、日陰栽培地であっても日陰とならない位置を求めることができる。これにより、ある時期は、日陰に隠れることなく日光を浴び、それ以外の時期は日照時間を調整することができる場所に前記植物を植えることができる。  
これにより、例えば、日照時間が短い冬場には、可能な限り日陰とならない位置であるとともに、夏場には必要以上に日光が当たらないような位置に前記植物を植えることができる。
【００３２】
またこの発明の態様として、前記遮蔽物を、太陽光パネルとすることができる。  
この発明により、従来から存在する太陽光パネルを遮蔽物として利用することにより、日陰栽培地を作成するために新たな設備投資をする必要がない。  
また、植物の育成に必要な機器に用いる電力のランニングコストを削減することができる。
【００３３】
具体的には、太陽光パネルにより発電した電気を用いて、例えばスクリンプラなどに電気を供給し、水を撒くことができる。これにより、働き手の負担を軽減するとともにコストを削減することができ、効率的に植物を栽培することができる。  
なお、前記機器とは、植物の栽培を行うにあたって用いる機器であり、スクリンプラに限定する物でなく、動力ポンプや動力噴霧機などでもよく、また、前記太陽光パネルで生成した電気を用いて充電できる草刈り機などであっても良い。
【００３４】
またこの発明の態様として、前記植物を、陽光桜とすることができる。  
この発明により、比較的に収穫期間が短い陽光桜の収穫時期を延長することができ、陽光桜の花の収穫にかかる人手を分散して収穫することができる。また、陽光桜は、誘引することにより、陽光桜の成長を促進することができるため、日向栽培地及び日陰栽培地の全体に対する収穫量を増やすことができるとともに、収穫時期を延長することができる。
【発明の効果】
【００３５】
本発明により、収穫可能な植物の収穫時期を延長することができる植物の育成方法を提供することができる。
【図面の簡単な説明】
【００３６】
【図１】植物の育成方法の概略図。
【図２】パネルにより作られる日陰の説明図。
【図３】太陽の移動に伴う日陰の移動の説明図。
【図４】太陽の移動に伴う日陰の移動の説明図。
【図５】誘引連結材を用いた植物の誘引の説明図。
【図６】東西方向に対する日照時間の計算の説明図。
【図７】東西方向に対する日照時間の計算の説明図。
【図８】南北方向に関する日照時間の計算の説明図。
【発明を実施するための形態】
【００３７】
以下、図面を参照し、本発明の実施形態を詳しく説明する。  
図１は陽光桜２の育成方法の概略図を示し、図２はパネル１３により作られる日陰の説明図を示し、図３及び図４は太陽の移動に伴う日陰の移動の説明図を示し、図５は誘引紐１４を用いた陽光桜２の誘引の説明図を示し、図６及び図７は東西方向に対する日照時間の計算の説明図を示し、図８は南北方向に関する日照時間の計算の説明図を示している。
【００３８】
栽培地Ｚは、図１に示すように、日向栽培地Ｘと日陰栽培地Ｙとに区分けされ、日陰栽培地Ｙには、日陰生成ユニット１、陽光桜２、電流変換ユニット４及びスクリンプラ５を備えている。
【００３９】
日向栽培地Ｘと日陰栽培地Ｙは、南北方向に配列しており、日向栽培地Ｘを南側に、日陰栽培地Ｙを北側に配置する。また、日向栽培地Ｘ及び日陰栽培地Ｙのそれぞれには、収穫可能な花のなる陽光桜２が規則正しく植えられている。  
なお、本実施例において、日向栽培地Ｘと日陰栽培地Ｙは南北方向に並べているが、日向栽培地Ｘ及び日陰栽培地Ｙを東西方向に並べても良いし、日向栽培地Ｘを北側に配置し、日陰栽培地Ｙを南側に配置しても良い。
【００４０】
また、本実施例において、収穫する植物を陽光桜２としているが、収穫可能な植物は陽光桜以外の木本植物のであっても良いし、穀物、野菜、果物、花などが収穫可能な草本植物であっても良い。  
収穫する植物は、陽光桜や八重桜、山椒などの永年植物であることが好ましく、また、例えば、紫蘇、榊、樒、椿、菊芋、センリョウ、マンリョウ、ナンテン、ケール、ニンニク、ハーブ類など、半日陰において十分に生育する植物とすることもできる。
【００４１】
また、日向栽培地Ｘと日陰栽培地Ｙに植える植物が同じであるならば、日向栽培地Ｘと日陰栽培地Ｙのそれぞれで複数種類の植物を配置しても良い。  
なお、日向栽培地Ｘ及び日陰栽培地Ｙに植える植物を木本植物とする場合は、樹高が１．０ｍ以下である低木や樹高が４．０ｍ未満となる中木であることが好ましいが、樹高が１．０ｍ未満となる低木であっても良く、４．０ｍ以上となる高木であっても良い。
【００４２】
また、本実施例において、日向栽培地Ｘと日陰栽培地Ｙの広さは、略同一の広さを想定しているが、略同一の大きさに限られるものではなく、日向栽培地Ｘと日陰栽培地Ｙのそれぞれにおいて、同一の植物を栽培できる程度の広さをそれぞれが有しておれば、広さを適宜変更しても良く、例えば、日陰栽培地Ｙの広さを日向栽培地Ｘの広さの２倍とするなどしても良い。また、例えば、収穫量が同程度となるようになど、収穫量に基づいて日向栽培地Ｘと日陰栽培地Ｙの面積を設定しても良い。
【００４３】
上述のように、日陰栽培地Ｙには、日陰を作るための日陰生成ユニット１が備えており、日陰生成ユニット１は、支柱１１、横材１２、パネル１３及び誘引紐１４で構成されている。支柱１１は、日陰栽培地Ｙに対して鉛直方向に建ててある支柱であり、所定の間隔で配置している。なお、支柱１１の高さは、陽光桜２の樹高よりも高い。
【００４４】
横材１２は、隣接する支柱１１を繋ぐ横木であり、支柱１１を東西方向に繋ぐ東西方向横材１２ａと南北方向に繋ぐ南北方向横材１２ｂとで構成している。また、東西方向横材１２ａは隣り合う支柱１１をつなぐほか、隣り合う支柱１１ｂの中点同士も繋いでいる。
【００４５】
パネル１３は所定の大きさを有する太陽光パネルであり、東西方向横材１２ａに沿って等間隔で並んでいる。本実施例において、隣り合う南北方向横材１２ｂの間にパネル１３を三つ並べているが、パネル１３によりできる日陰の大きさなどに基づいて設置する個数を適宜変更しても良い。
【００４６】
なお、パネル１３は必ずしも太陽光パネルである必要はなく、材質を問わず、板状体であればよい。例えば、金属製であっても、木製であっても良いし、高分子化合物であっても良いが、相当数のパネル１３を横材１２に沿って並べるため、パネル１３は、支柱１１及び横材１２で支えることが可能な程度に軽量であることを要する。また、長時間直射日光を浴びるため、耐熱性を有する方が好ましい。
【００４７】
誘引紐１４は、支柱１１及び陽光桜２を結ぶ紐状の連結部材であり、幹連結用誘引紐１４ａと枝用誘引紐１４ｂとで構成する。幹連結用誘引紐１４ａは東西方向及び南北方向に並ぶ支柱１１同士を連結しており、枝用誘引紐１４ｂは幹連結用誘引紐１４ａと陽光桜２とを結んでいる。
【００４８】
なお、誘引紐１４は、陽光桜２の枝などを誘引することができれば、紐状である必要はなく、棒状及び板状でもよく、その材質は問わない。具体的には、繊維を束ねた紐や縄などの他、ワイヤーなどであってもよく、木製や金属製、高分子樹脂からなる棒状や板状のものであってもよい。
【００４９】
電流供給ユニット４は、パネル１３で生成する電気を直流から交流電源に変換するためのパワーコンディショナー、電力量計、パネル１３で生成する電気を蓄える蓄電池などから構成する電力供給システムであり、これらを備える本体４１は直流ケーブル４２を介してパネル１３と接続している。  
スクリンプラ５は、交流ケーブル４３を介して本体４１と繋がれており、パネル１３で生成する電気を利用する電動スクリンプラである。
【００５０】
先ず、太陽の移動に伴う日陰栽培地Ｙに作られるパネル１３の日陰の移動について、図２、図３及び図４に基づいて説明する。  
図２、図３及び図４は、日陰栽培地Ｙを北側から南側に向かって見た図であり、左側が東方向となり、右側が西方向、正面は南方向となる。パネル１３は、隣り合う支柱１１ａと支柱１１ｂとの間に、東西方向横材１２ａに沿って所定の間隔で三つ設置されている。なお、隣り合う支柱１１ａと支柱１１ｂとの間に設置されたパネル１３を、東側からパネル１３ａ、パネル１３ｂ、パネル１３ｃとする。
【００５１】
また、図２において、左上にある円は太陽３を示し、太陽光線３１は平行光線である太陽光を表示し、日陰３２は、パネル１３が太陽光線３１を遮ることによりできる日陰を表す。  
詳述すると、太陽３から照射された太陽光線３１は、平行光線として地表に届くが、日陰栽培地Ｙには、図２などに示すように、規則正しくパネル１３が設置されているため、太陽３から照射された太陽光線３１は、パネル１３により遮られ、地表に届かない。そのため、太陽光線３１をパネル１３により遮った部分が、日陰３２となる。
【００５２】
このように作られた日陰３２が、太陽の移動に伴って移動し、時間経過に伴い陽光桜２は日陰に入る（図３及び図４参照）。  
詳述すると、図３（ａ）に示すように、太陽３が太陽３ａの位置にあるときは、太陽光線３１がパネル１３ａにより遮られ、日陰３２が日陰３２ａの位置にできるが、この場合において陽光桜２は日陰に入らず、日光を浴びている。
【００５３】
時間の経過により、太陽３は移動し、それに伴い日陰３２は日陰３２ａの位置から日陰３２ｂの位置に移動するため、日陰３２は西側から徐々に陽光桜２を覆い、太陽３が太陽３ｂの位置となるときに、陽光桜２は大部分が日陰に隠れることとなる（図３（ｂ）参照）。  
その後、陽光桜２は西側部分から日光を浴び、太陽３が太陽３ｃの位置にあるときには陽光桜２の大部分は日光を浴びることとなる（図３（ｃ）参照）。
【００５４】
また、太陽３が太陽３ｄの位置に移動するまでは、陽光桜２は日光を浴びているが（図４（ａ）参照）、太陽３ｄを過ぎると西方向から徐々に日陰となり（図４（ｂ）参照）、太陽３ｅの位置に来るまで陽光桜２は全体的に日陰に覆われた状態となる（図４（ｃ）参照）。その後の太陽３移動に伴い、陽光桜２の全体的に日が当たることとなる。
【００５５】
これにより、陽光桜２は一日の中で日陰になる時間と日向になる時間とができ、日陰栽培地Ｙで栽培する陽光桜２の日照時間を、日向栽培地Ｘで育てる陽光桜２よりも減らことができる。したがって、日陰栽培地Ｙで栽培する陽光桜２の生育を、日向栽培地Ｘで栽培する陽光桜２の生育よりも遅らせることができる。よって、日陰栽培地Ｙで育てる陽光桜２の開花や結実時期が、日向栽培地Ｘで育てる陽光桜２よりも遅くなり、栽培地Ｚ全体で陽光桜２の収穫時期を延長することができる。
【００５６】
このため、例えば、先に陽光桜２が開花した日向栽培地Ｘに人手を集中させ収穫した後に、遅れて陽光桜２が開花した日陰栽培地Ｙで、人手を集中させて陽光桜２の花などを収穫することができる。これにより、人手を収穫時期に合わせて分散し、農家の負担が軽減する。
【００５７】
また、図１に示すように、誘引紐１４を用いることで、日陰栽培地Ｙで栽培している陽光桜２を所定の高さに誘引することができ、収穫の対象である植物の花や果実を所望の高さで開花、結実させることができる。したがって、収穫する際に、例えば、収穫者は脚立に登るなどすることなく、花などを効率的に収穫することができる。
【００５８】
この際に、例えば図５に示すように、枝用誘引紐１４ｂの陽光桜２と連結する側を幹連結用誘引紐１４ａよりも陽光桜２の低い位置と結びつけたり（図５参照）、逆に、陽光桜２と連結する側を幹連結用誘引紐１４ａよりも高い位置で結びつけたりすることにより（図示省略）、所定の位置よりも低い位置又は高い位置で成長する枝を所定の高さに誘引することができ、安全で効率よく花などを収穫することができる。特に、陽光桜２は誘引によって効率的に成長するため、収穫量を増やすことができる。
【００５９】
さらに、例えば、陽光桜２の枝を成長に適した最低限の日照時間を得られるとともに、日向栽培地Ｘに比べて日照時間が短い場所に、陽光桜２の枝を誘引することができるため、日陰栽培地Ｙで栽培する陽光桜２の成長に必要な日照時間を確保しつつ、日向栽培地Ｘで栽培する陽光桜２よりも収穫時期を遅らせることができる。  
なお、この誘引紐１４は日向栽培地Ｘに植えてある陽光桜２同士を繋げて、日向栽培地で栽培する陽光桜を誘引しても良い。
【００６０】
また、従来から存在する太陽光パネルを遮蔽物として利用することにより、日陰栽培地Ｙを作成するために新たな設備投資をする必要がなく、さらに、パネル１３で生成した電気を用いてスクリンプラ５を作動することで、従来人の手で行っていた水撒きにかかる働き手の負担を解消するとともに、水撒きなどに使用していたコストを削減することができ、効率的に植物を栽培することができる。
【００６１】
次に、陽光桜２に当たる日照時間と、隣り合うパネル１３同士の間隔、パネル１３の高さ及び幅との関係について、図６に基づいて説明する。  
図６（ａ）に示すように、パネル１３は、東西方向に伸びる東西方向横材１２ａに沿って、長さ２ｂの間隔で並んでおり、それぞれを東側からパネル１３ａ、パネル１３ｂ、１３ｃとする。  
【００６２】
また、図６（ａ）に示すように、パネル１３の下方には１本の陽光桜２は植えられており（以下、『陽光桜２ａ』とする）、陽光桜２ａの間には、１本の陽光桜２が植えられている（以下、『陽光桜２ｂ』とする）。
【００６３】
図６（ａ）に示すように、パネル１３ａの西側端点を点Ａとし、パネル１３ｃの東側端点を点Ｄとする。そして、陽光桜２ａの葉張り２１の最東端となる点を点Ｂ、最西端となる点を点Ｅとする。点Ｂから垂直上方延ばした直線と、陽光桜２ａの上方にあるパネル１３ｂとの交点を点Ｃとし、点Ｅから垂直上方延ばした直線と、パネル１３ｂとの交点を点Ｆとする。  
さらに、パネル１３ｂの東側端点を点Ｍとし、パネル１３ｂの西側端点を点Ｎとする。
【００６４】
ここで、図６（ｂ）で示すように、点Ａと点Ｂを結んだ直線と、点Ｂと点Ｃとを結んだ直線のなす角度をθとし、点Ｄと点Ｅを結んだ直線と、点Ｅと点Ｆとを結んだ直線のなす角をφとする。  
また、点Ｍと点Ｂを結んだ直線と、点Ｂと点Ｃとを結んだ直線のなす角度をηとし、点Ｎと点Ｅを結んだ直線と、点Ｅと点Ｆとを結んだ直線のなす角をιとする。
【００６５】
ここで、陽光桜２ａの大部分が日に当たるのは、太陽３の高度が、点Ｂと点Ａを結んだ直線の延長線上となる時から、点Ｂと点Ｍを結んだ直線の延長線上にある時までと、点Ｅと点Ｎを結んだ直線の延長線上となる時から、点Ｅと点Ｄを結んだ直線の延長線上にある時までである。
【００６６】
その際の、陽光桜２ａの日照時間は、陽光桜２ａが日光を浴びる時間に対応する角度であるθとφの和から、パネル１３により、陽光桜２ａが日陰となる時間に対応する角度であるηとιの和を減算した値を、1時間当たりの太陽の移動角度である１５度で除算することにより計算することができる。すなわち、以下の数式１で表すことができる。
【００６７】
【数１】
2016054725.tif 000003
また、三角形ＡＢＣは∠ＡＣＢが、三角形ＤＥＦは∠ＤＦＥが直角の直角三角形であるため、θ及びφはそれぞれ以下の数式２及び数式３で表すことができる。
【００６８】
【数２】
2016054725.tif 000004
【００６９】
【数３】
2016054725.tif 000005
同様に、三角形ＭＢＣは角Ｃが、三角形ＮＥＦは角Ｆが直角の直角三角形であるため、η及びιはそれぞれ以下の数式４及び数式５で表すことができる。
【００７０】
【数４】
2016054725.tif 000006
【００７１】
【数５】
2016054725.tif 000007
上記数式を用いることにより、日照時間に対すると陽光桜２の樹高、パネル１３の高さ、幅及び１３ａ同士の間隔の関係を求めることができる。
【００７２】
同様に、陽光桜２ａの間に植えられている陽光桜２ｂの日照時間と、パネル１３の幅、高さ及び隣り合うパネル１３の間隔の関係について説明する。
【００７３】
図６（ｂ）に示すように、パネル１３ａの西側端の点をＧとし、パネル１３ｂの東側端点を点Ｊとする。また、陽光桜２の葉張り２１の最東端となる点を点Ｈ、最西端となる点を点Ｋとし、点Ｈから垂直上方に延ばした直線と、パネル１３ａの上端面を西方向水平に延ばした線との交点を点Ｉとし、点Ｋから垂直上方延ばした直線と、パネル１３ｂの上端面を東方向水平に延ばした線との交点を点Ｉとする。
【００７４】
そして、点Ｇと点Ｈを結んだ直線と、点Ｈと点Ｉを結んだ直線の成す角度をψとし、点Ｊと点Ｋを結んだ直線と、点Ｋと点Ｌを結んだ直線の成す角度をεとする。
【００７５】
陽光桜２ｂに日が当たるのは、太陽３の高度が、点Ｈと点Ｇを結んだ直線の延長線上にある時から、点Ｋと点Ｊを結んだ直線の延長線上にある時までと考えられるため、陽光桜２ｂの日照時間は、∠ＧＨＩの値であるψと∠ＪＫＬの値であるεの和を、1時間当たりの太陽の移動角度である１５度で除算することにより計算することができる。すなわち、以下の数式６で表すことができる。
【００７６】
【数６】
2016054725.tif 000008
【００７７】
また、三角形ＧＨＩと三角形ＪＫＬとがそれぞれ∠ＨＩＧ及び∠ＫＬＪを直角とする直角三角形であるため、ψとεは、それぞれ以下の数式７及び数式８で表すことができる。
【００７８】
【数７】
2016054725.tif 000009
【００７９】
【数８】
2016054725.tif 000010
以上、数式１乃至８を用いて、陽光桜２の高さ及び葉張りを設定することにより、パネル１３の高さ、東西方向の幅及び間隔に基づいて、陽光桜２ａ及び陽光桜２ｂの日照時間を求めることができる。  
なお、上記算出式は一例であり、状況に合わせて、適宜必要な数式を用いても良い。
【００８０】
以下、陽光桜２の日照時間と陽光桜２の高さ、パネル１３の高さ、パネル１３の東西方向の幅及びパネル１３の間隔の関係について、図７に基づいて説明する。
【００８１】
例えば、図７（ａ）で示すように、パネル１３の中心点から降ろした垂線と日陰栽培地Ｙの地平線が交わる点に陽光桜２が植えられており（以下、『陽光桜２ａ』とする）、陽光桜２が陽光桜２ａの間に等間隔となる、すなわち、パネル１３同士の間隔の中心点から降ろした垂線と日陰栽培地Ｙの地平線とが交わる点に陽光桜２が植えられている（以下、『陽光桜２ｂ』とする）とする。  
なお、計算の便宜上、陽光桜２を植える位置については南北方向を考慮していない。以下についても同様とする。
【００８２】
図７（ａ）に示すように、パネル１３の東西方向の幅を２ａとし、日陰栽培地Ｙに対する鉛直方向の高さをｈとする。また、パネル１３は、東西方向横材１２ａに沿って等間隔で並んでおり、東側から、パネル１３ａ、パネル１３ｂとし、隣り合うパネル１３同士の間隔を２ｂとする。
【００８３】
また、陽光桜２の樹高はｌとし、陽光桜２の葉張り２１を、便宜上、陽光桜２の高さｌの３分の２倍とし、陽光桜２の葉張り２１の形状は球状とすると、陽光桜２の葉張り２１の半径ｃは、（１／３）×ｌと表すことができる。したがって、図７（ａ）における、長さＢＣは、以下の数式９で表すことができる。
【００８４】
【数９】
2016054725.tif 000011
【００８５】
次に、図７（ｂ）に基づいて、陽光桜２ａの高さとパネル１３の高さ並びに幅及び間隔に対する陽光桜２ａの日照時間を数式３〜数式５に基づいて求める。
【００８６】
陽光桜２ａは、パネル１３の中心から下した垂線と日陰栽培地Ｙとが交わる点に植えたものとしているため、長さＡＣと長さＤＦはともに、ＡＣ＝ＤＦ＝２ｂ＋ａ−ｃとなる。また、長さＭＣと長さＮＦも同様に、ＭＣ＝ＮＦ＝ａ−ｃとなる（図７（ｂ）参照）。また、∠ＤＥＦは∠ＡＢＣと同じ角度θと、∠ＮＥＦは∠ＭＢＣと同じ角度ηとなる。このことから、数式２及び数式３は、以下に示す数式１０と表せ、数式４及び数式５は以下に示す数式１１として表せることができる。
【００８７】
【数１０】
2016054725.tif 000012
【００８８】
【数１１】
2016054725.tif 000013
したがって、日照時間を求める数式１は、数式１２となる。
【００８９】
【数１２】
2016054725.tif 000014
例えば、パネル１３の高さｈを陽光桜２の樹高ｌの倍数とした場合に、パネル１３の幅ａと隣り合うパネル１３の間隔ｂと、陽光桜２の日照時間との関係を上記数式１０乃至数式１２に基づいて計算した結果を表１に示す。
【００９０】
具体的には、パネル１３の高さｈを、それぞれ樹高ｌの１．５倍、１．７倍、２．０倍、２．５倍とした場合に、パネル１３の幅ａを樹高の０．５〜２．０倍とし、隣り合うパネル１３の間隔ｂを樹高ｌの０．５〜２．０倍とした際の日照時間の計算結果を示す。
【００９１】
なお、日照時間の単位は『時間』である。
【００９２】
【表１】
2016054725.tif 000015
例えば、日照時間が６時間以上必要な陽性植物を、陽光桜２ａ位置に植える場合、パネル１３の高さを陽光桜２の樹高の２．０倍とすると、パネル１３の東西方向に対する幅を樹高の１．５倍以下とすることで、陽光桜２ａの日照時間を６時間以上とすることができる。  
また、パネル１３の高さを低くした場合であっても、パネル１３の東西方向に対する幅を狭くすることにより、日照時間を６時間以上確保することができる。
【００９３】
次に、図７（ｃ）に基づいて、陽光桜２ｂの日照時間と、陽光桜２の樹高、パネル１３の高さ及び間隔の関係を式で表す。  
陽光桜２ｂは、陽光桜２ａの間に等間隔で並ぶため、長さＧＩと長さＪＬは、ＧＩ＝ＪＬ＝ｂ−ｃとなる。また、∠ＪＫＬは∠ＧＨＩと同じ角度ψとなり、数式５及び数式６は以下に示す数式１３となる。また、陽光桜２ｂの日照時間を求める数式４は、数式１４となる。
【００９４】
【数１３】
2016054725.tif 000016
【００９５】
【数１４】
2016054725.tif 000017
なお、陽光桜２の樹高ｌに対して、パネル１３の高さｈを固定した場合のパネル１３の幅ｂと陽光桜２の日照時間との関係を表２に示す。
【００９６】
【表２】
2016054725.tif 000018
例えば、パネル１３の高さが陽光桜２の樹高ｌの２倍ならば（ｈ＝２．０×ｌ）、パネル１３の間隔ｂを陽光桜２の樹高の１．７倍以上にすることにより日照時間を６時間以上確保することができる。逆に、パネル１３の間隔ｂを陽光桜２の樹高の１．２倍程度にすることにより日照時間が４時間半程度となり、パネル１３の間隔が陽光桜２の樹高の１．７倍のときと比べて、植物の光合成量を減少し生育を遅らせることができる。
【００９７】
また、日照時間が６時間以上必要な陽性植物を、陽光桜２ａと陽光桜２ｂの位置に植える場合において、パネル１３の高さを陽光桜２の樹高の１．７倍とする。この場合、パネル１３の間隔を樹高の１．５倍以上とするとともに、パネル１３ａの東西方向の幅を陽光桜２の樹高の０．５倍から１．２倍程度とすることで、陽光桜２ａ及び陽光桜２ｂの日照時間を６時間以上とすることができる。また、陽光桜２ｂの日照時間が陽光桜２ａの日照時間と同程度にするには、隣り合うパネル１３同士の間隔を陽光桜２の樹高の１．７倍とし、パネル１３の幅方向の長さを、陽光桜２の樹高と同程度とするとよい。
【００９８】
これにより、日陰栽培地Ｙに植える陽光桜２に当たる日照時間を計算し、パネル１３の高さや東西方向に対する幅および間隔を調節することにより、適当な日照時間とすることできる。したがって、陽光桜２の開花時期などを日向栽培地Ｘで栽培する陽光桜２に比べて調整することができ、陽光桜２の花などを収穫するに際し、収穫時期を分散することができる。したがって、収穫に必要な人手を分散することができ、働き手の負担を軽減することができる。
【００９９】
次に、図８に基づいて、南北方向に等間隔で陽光桜２を植えた場合における、陽光桜２の日照時間と、日陰栽培地Ｙの緯度、隣り合うパネル１３の間隔、パネル１３の高さ及び幅の関係について説明する。
【０１００】
図８は、日陰栽培地Ｙを東側から西側に向けて見た図であり、左側が南を、右側が北を示し、正面が西を示す。  
また、パネル１３は、南北方向横材１２ｂに沿って、南北方向に等間隔で並んでおり、左側からそれぞれパネル１３ａ、パネル１３ｂとする。なお、パネル１３の高さをｈとし、南北方向に対する幅は２ｄと、南北方向に対して隣り合うパネル１３同士の間隔をｅとする。
【０１０１】
また、陽光桜２は、図８に示すように、パネル１３の鉛直下方に下した直線と、日陰栽培地Ｙの地平線との交点から北方向にｘずれた位置に植えられており、左から陽光桜２ａ、陽光桜２ｂとする。また、図７と同様に、陽光桜２の樹高をｌ、陽光桜２の葉張り２１の大きさを陽光桜２の樹高ｌの３分の２倍とし、陽光桜２の葉張り２１の形状は半径ｃの球状とする。すなわち、陽光桜２の葉張り２１の半径ｃは、（１／３）×ｌと表すことができる。  
【０１０２】
図８（ａ）に示すように、パネル１３ａの南側端点を点Ｏとし、パネル１３ａの北側端点を点Ｒとする。また陽光桜２ａの葉張り２１の中心点を点Ｐとし、点Ｏから鉛直下向きに下した直線と、点Ｐから南方向へ水平に引いた直線との交点を点Ｑとする。
【０１０３】
さらに、陽光桜２ｂの葉張り２１の北側端点を点Ｓとし、点Ｒから鉛直下向きに下した直線と、日向栽培地Ｘから南方向へ水平に引いた直線との交点を点Ｔとする。  
なお、以下において、日陰栽培地Ｙの緯度を（９０−ξ）度とし、地軸の傾きを２３．４度として考える。
【０１０４】
始めに、昼及び夜の長さが同じ日において、陽光桜２ａが昼の間、日光を浴びることができる位置であるとともに、昼が一番長い日において、陽光桜２ａが日陰となる位置について説明する。
【０１０５】
先ず、昼及び夜の長さが同じである日において、陽光桜２ａが略全体に日光を浴びるのは、陽光桜２ａの葉張り２１の中心点Ｐと点Ｏを結んだ延長線上に、太陽３の正中高度がある場合である。この場合、正中をピークに太陽高度は低くなるため、陽光桜２ａは、太陽光線３１がパネル１３ａに遮られることなく、昼の間、日光を浴びることができる。なお、点Ｏと点Ｐとを結んだ直線と、点Ｐと点Ｑとを結んだ直線のなす角∠ＯＰＱは、９０度から日陰栽培地Ｙの緯度を減算した角度ξとなる。
【０１０６】
この場合において、長さＰＱがＰＱ＝ｘ＋ｄ、長さＯＱがＯＱ＝ｈ−ｌ＋ｃと表せるため、日陰栽培地Ｙの緯度、陽光桜２ａの樹高ｌ、植樹位置ｘとパネル１３の高さｈ及び南北方向の幅ｄの関係は、数式１５により表すことができる。
【０１０７】
【数１５】
2016054725.tif 000019
【０１０８】
次に、昼の長さが一番長い日において、陽光桜２ａがパネル１３ａの日陰に入る陽光桜２ａの植樹位置ｘについて考える。  
陽光桜２ａがパネル１３ａの日陰に入るには、図８（ａ）に示すように、点Ｓと点Ｒとを結んだ直線上に太陽３の正中高度がある場合である。即ち、点Ｒと点Ｓを結んだ直線と、点Ｔと点Ｓとを結んだ直線のなす角∠ＲＳＴが、∠ＲＳＴ≧（ξ＋２３．４）となる場合である。
【０１０９】
したがって、昼の長さが一番長い日におけては、長さＳＴがＳＴ＝ｘ＋ｃ−ｄと表せるため、日陰栽培地Ｙの緯度、陽光桜２ａの樹高ｌ、植樹位置ｘとパネル１３の高さｈ及び南北方向の幅ｄの関係は、数式１６により表すことができる。
【０１１０】
【数１６】
2016054725.tif 000020
【０１１１】
この数式１５及び１６に基づいて、昼の時間が夜の時間よりも長い場合に、パネル１３の高さ及び日陰栽培地Ｙの緯度に対する、陽光桜２ａがパネル１３ａの日陰となるように陽光桜２ａを植える位置および、パネル１３の幅の最小値を求めることができる。
【０１１２】
昼の時間が夜の時間よりも長い時期に、日陰栽培地Ｙの緯度とパネル１３の高さに対して、陽光桜２ａがパネル１３ａの日陰となるような陽光桜２ａの植える位置を表３に示す。  
なお、表３は緯度０度以上、６０以下を表示している。
【０１１３】
【表３】
2016054725.tif 000021
また、表３に示した位置に陽光桜２ａを植えた場合における、パネル１３の南北方向に対する幅の最小値を表４で示す。
【０１１４】
【表４】
2016054725.tif 000022
例えば、日陰栽培地Ｙの緯度が４０度であって、パネル１３ａの高さを陽光桜２の樹高の２．０倍とした場合、陽光桜２を植える位置はパネル１３の中央真下から北側に樹高の０．５９倍の位置となる。その場合において、パネル１３ａの南北方向に対する幅は、最低でも、陽光桜２の樹高の１．０４倍とする必要がある。
【０１１５】
なお、表５に示すパネル１３の幅は、昼の時間が夜の時間よりも長い場合において、陽光桜２が正中時に日陰となるために必要な最小値である。したがって、パネル１３の南北方向の幅はこの値よりも大きくしてもよく、パネル１３ａの値を大きくした場合には、陽光桜２ａの植える位置を、数式１５を満たすような位置に動かせばよい。
【０１１６】
次に、昼の時間が一番短い日において、陽光桜２ｂがパネル１３ａの日陰とならない場合の、日陰栽培地Ｙの緯度、陽光桜２ａの樹高、植樹位置とパネル１３の高さ及び南北方向のパネル１３同士の間隔の関係について説明する。
【０１１７】
なお、昼の時間が一番短い日とは、正中高度が一年で最も低くなる日であるため、太陽光線３１をパネル１３ａが遮ることによってできる日陰が、最も北側にまで届く日となる。
【０１１８】
したがって、昼の時間が一番短い日において、陽光桜２ｂがパネル１３ａの日陰とならないのは、正中時に、太陽３が、陽光桜２ｂの葉張り２１の点Ｕから点Ｒを結んだ延長線上にある場合である（図９（ｂ）参照）。
【０１１９】
ここで、図８（ｂ）に示すように、パネル１３ａの北側端点を、図８（ａ）と同様に点Ｒとし、陽光桜２ａの葉張り２１の最下点を点Ｕとする。そして、点Ｒから鉛直下向きに下した直線と、点Ｕから南方向へ水平に引いた直線との交点を点Ｖとする。
【０１２０】
この場合において、点Ｒと点Ｕとを結ぶ直線と、点Ｖと点Ｕとを結ぶ直線とのなす角∠ＲＵＶは、∠ＲＵＶ＝（ξ―２３．４）となり、また、長さＲＶはＲＶ＝ｈ−ｃと、長さＵＶは、ＵＶ＝ｅ＋ｄ＋ｘと表すことができる。
したがって、陽光桜２ｂの植える位置は、数式１７により表すことができる。
【０１２１】
【数１７】
2016054725.tif 000023
【０１２２】
表３及び表４で求めた陽光桜２ａの植樹位置及びパネル１３の幅と数式１７に基づいて、日陰栽培地Ｙの緯度及びパネル１３の高さに対するパネル１３の間隔を表５に示す。
【０１２３】
【表５】
2016054725.tif 000024
表５に示すように、昼の時間の長さが一番短い日である場合において、日陰栽培地Ｙの緯度が４０度、パネル１３の高さを陽光桜２の樹高の２．０倍とした場合、陽光桜２ｂがパネル１３ａに基づいて日陰とならないためには、隣り合うパネル１３の間隔を陽光桜２の樹高の２．３０倍以上とする必要がある。
【０１２４】
以上の数式１５、数式１６及び数式１７に基づいて、昼が夜に比べて短い時は、陽光桜２ａが昼の間、日光を浴びることができ、逆に、昼の時間が夜の時間に比べて長い時は、太陽３が正中の位置近辺にある時に陽光桜２が日陰となるようにすることができる位置に陽光桜２を植えることができる。
【０１２５】
以上の計算式を用いて、昼の短い時期は、昼の間中、陽光桜２を日光に当てることができ、逆に昼が長い時期は、太陽３が正中の位置近辺にある時に日陰となるようでき、陽光桜２ａの日照時間を調整することができる。
【０１２６】
このように、収穫時期を調整する植物の育成方法は、収穫可能な陽光桜２の高さに対して上方において、所定の大きさを有するとともに、所定の間隔で配置するパネル１３を備える日陰栽培地Ｙと、陽光桜２を露地栽培する日向栽培地Ｘとで構成することにより、収穫可能な陽光桜２の収穫時期を延長することができる。
【０１２７】
詳述すると、陽光桜２の高さに対して上方において、所定の大きさを有するとともに、所定の間隔で配置するパネル１３により、日陰栽培地Ｙに日陰を作ることができる。日陰３２は、太陽３の移動に伴って移動するため、パネル１３の大きさ、高さ及び間隔を調整することにより、陽光桜２の日照時間を調整することができる。  
また、日陰栽培地Ｙにパネル１３を設置し日陰３２を作ることにより、日陰栽培地Ｙの気温を日向培地に比べ低くすることができる。
【０１２８】
陽光桜２の日照時間を調整すること及び日陰栽培地Ｙの気温を日向培地に比べ低くすることにより、日陰栽培地Ｙで栽培する陽光桜２の開花時期などを日向栽培地Ｘに対して遅らせることができ、日向栽培地Ｘと日陰栽培地Ｙ全体での収穫時期を延長することができる。したがって、先に収穫時期を向かえた栽培地で栽培した陽光桜２の花などを収穫し、その後に、後に収穫時期を向かえた陽光桜２の花などを収穫することができ、収穫に要する人手を分散することができる。
【０１２９】
また、所定の高さを有するとともに、所定の間隔で配設したパネル１３を支える支柱１１と、パネル１３より下方において、所定の高さを有し、支柱間を連接する誘引紐１４を備えることにより、陽光桜２を所定の高さに誘引することができ、収穫の対象である陽光桜２の花や果実を所定の高さで開花、結実させることができる。したがって、収穫する際に、例えば、収穫者は脚立に登るなどすることなく、花や果実を効率的にかつ安全に収穫することができる。
【０１３０】
また、パネル１３の面積を、日陰栽培地Ｙの面積の２５％以上４０％以下とした構成とすることにより、日陰栽培地Ｙで栽培する陽光桜２の収穫時期を日向栽培地Ｘでの収穫時期に比べて遅らせることができるとともに、陽光桜２の収穫量を一定量以上確保することができる。
【０１３１】
詳述すると、パネル１３の面積が日陰栽培地Ｙの面積の２５％未満である場合、日陰栽培地Ｙの一日当たりの日照量が日向栽培地Ｘの日照量と比べて十分に少なくならず、日陰栽培地Ｙで栽培する陽光桜２の収穫時期が、日向栽培地Ｘで栽培している陽光桜２の収穫時期に対して優位な差が得られないこととなる。
【０１３２】
また、パネル１３の面積が日陰栽培地Ｙの面積の４０％よりも大きい場合、陽光桜２の成長に必要な日照量が十分に確保されないため、日陰栽培地Ｙで栽培される陽光桜２の収穫量が二割以上下がることとなる。
【０１３３】
このことから、日陰栽培地Ｙに備えたパネル１３を、日陰栽培地Ｙの面積に対してパネル１３との面積が２５％以上４０％以下とすることで、日陰栽培地Ｙで栽培する陽光桜２の収穫時期を日向栽培地Ｘでの収穫時期に比べて遅らせることができるとともに、陽光桜２の収穫量を一定以上確保することができる。
【０１３４】
なお、好ましくはパネル１３の面積が、日陰栽培地Ｙの面積の３０％以上３５％以下となるほうがよい。３０％以上３５％以下とすることにより、より確実に日陰栽培地Ｙで栽培する陽光桜２の収穫時期を日向栽培地Ｘでの収穫時期に比べて遅らせることができるとともに、陽光桜２の収穫量を一定以上確保することができるためである。
【０１３５】
また、陽光桜２の生殖生長期における陽光桜２の高さと東西方向に対する葉張り２１を設定するとともに、陽光桜２の高さ及び東西方向に対する葉張り２１と陽光桜２に必要な日照時間に基づいて、パネル１３の東西方向に対する幅及び間隔並びにパネル１３の高さのうち少なくとも一つに関して設定することにより、日陰栽培地Ｙで栽培する陽光桜２の日照時間を、所望の日照時間となるように調整して陽光桜２を栽培することができる。
【０１３６】
具体的には、陽光桜２の高さ及び東西方向に対する葉張り２１を、生殖生長期における陽光桜２の高さ及び東西方向に対する葉張り２１と設定し、陽光桜２の生育に必要な日照時間を考慮し、パネル１３の東西方向に対する幅及び間隔並びに高さのいずれか一つに関して設定することにより、日陰栽培地Ｙで栽培する陽光桜２が日光に照らされる時間を、前記植物の成長に必要な最低限以上の日照時間とするとともに、日陰栽培地Ｙで栽培する陽光桜２の日照時間が、日向栽培地Ｘで栽培する陽光桜２の日照時間と比較して、少なくなるように陽光桜２を栽培することができる。
【０１３７】
したがって、日陰栽培地Ｙで栽培する陽光桜２の成長に必要な日照時間を確保しつつ、日向栽培地Ｘで栽培する陽光桜２と比較して、収穫時期を遅らせることなどができ、収穫に必要な人手を分散することができる。  
これにより、日陰栽培地Ｙで栽培する陽光桜２を良質な状態としつつ、日陰栽培地Ｙで栽培する陽光桜２の成長を段階的に調整することができ、収穫に要する人手をより分散することができる。
【０１３８】
また、生殖生長期における陽光桜２の高さと南北方向に対する葉張り２１を設定するとともに、陽光桜２の高さ及び南北方向に対する葉張り２１と日陰栽培地Ｙの緯度とに基づいて、南北方向に対するパネル１３の幅及び隣り合うパネル１３との間隔、並びにパネル１３の高さのうち少なくとも一つに関して設定することにより、緯度を考慮し、時期に合わせて日照時間を調整することができる。
【０１３９】
具体的には、陽光桜２の高さ及び葉張り２１を、生殖生長期における陽光桜２の高さ及び南北方向に対する葉張り２１を設定し、日陰栽培地Ｙの緯度、パネル１３の高さ及び南北方向に対する葉張り２１に基づいて、陽光桜２の樹高に対する、パネル１３の南北方向に対する幅及び間隔並びにパネル１３の高さのいずれか一つに関して設定することができる。すなわち、日陰栽培地Ｙの緯度に基づいて算出した太陽高度を考慮して、陽光桜２の高さに対する、パネル１３の南北方向の幅及び間隔並びに高さを設定することができ、栽培地の緯度に適した遮蔽物の高さ並びに南北方向に対する幅及び間隔を考慮して遮蔽物を設置することができる。
【０１４０】
したがって、日照時間が短い冬場には、可能な限り陽光桜２が日陰３２に入らないように調整するとともに、夏場には必要以上に日光が当たらないように調整することができる。
【０１４１】
また、陽光桜２の生殖生長期における陽光桜２の高さと南北方向に対する葉張り２１を設定するとともに、日陰栽培地Ｙの緯度と、南北方向に対するパネル１３の高さ及び幅、並びにパネル１３と南北方向に隣り合うパネル１３との間隔のうち少なくとも一つに関する配置に基づいて、パネル１３に対する南北方向の陽光桜２を植える位置を定めることにより、陽光桜２の生殖生長期の高さ及び葉張り２１に基づいて、時期に応じて所定の日照時間を確保することができる位置に陽光桜２を栽培する位置を決めることができる。
【０１４２】
具体的には、日陰栽培地Ｙの緯度に基づいて、パネル１３の高さ及び南北方向に対する幅及び間隔のいずれか一つに関する配置と、陽光桜２の生殖生長期の高さ及び葉張り２１に基づいて、時期によっては、日陰栽培地Ｙであっても日陰３２とならない位置を求めることができる。これにより、ある時期は、日陰３２に隠れることなく日光を浴び、それ以外の時期は日照時間を調整することができる場所に陽光桜２を植えることができる。  
これにより、例えば、日照時間が短い冬場には、可能な限り日陰とならない位置であるとともに、夏場には必要以上に日光が当たらないような位置に陽光桜２を植えることができる。
【０１４３】
また、パネル１３が、太陽光パネルで構成することにより、従来から存在する太陽光パネルをパネル１３として利用でき、日陰栽培地Ｙを作成するために新たな設備投資をする必要がない。  
また、陽光桜２の育成に必要な機器に用いる電力のランニングコストを削減することができる。
【０１４４】
具体的には、太陽光パネルにより発電した電気を用いて、例えばスクリンプラ５などに電気を供給し、水を撒くことができる。これにより、働き手の負担を軽減するとともにコストを削減することができ、効率的に陽光桜２を栽培することができる。
【０１４５】
また、収穫可能な植物を、陽光桜２とすることにより、比較的に収穫期間が短い陽光桜２の収穫時期を延長することができ、陽光桜２の花の収穫にかかる人手を分散して収穫することができる。また、陽光桜２は、誘引することにより、陽光桜２の成長を促進することができるため、日向栽培地Ｘ及び日陰栽培地Ｙの全体に対する収穫量を増やすことができるとともに、収穫時期を延長することができる。
【０１４６】
この発明の構成と、上述の実施形態との対応において、
この発明の植物は、陽光桜２に対応し、
遮蔽物は、パネル１３に対応し、
誘引連結材は、誘引紐１４に対応するが、この発明は、上述の実施形態の構成のみに限定されるものではなく、多くの実施の形態を得ることができる。
【０１４７】
例えば、上記実施例において、収穫する植物を陽光桜２としているが、収穫可能な植物は陽光桜以外の木本植物のであっても良いし、穀物、野菜、果物、花などが収穫可能な草本植物であっても良い。また、日向栽培地Ｘと日陰栽培地Ｙに植える植物が同じであるならば、日向栽培地Ｘと日陰栽培地Ｙのそれぞれの中で複数種類の植物を配置しても良い。  
具体的には、陽光桜、紫蘇、榊、樒、椿、菊芋、センリョウ、マンリョウ、ナンテン、ケール、ニンニク、ハーブ類などのうち一種類又は複数種類の植物を育てても良い。
【０１４８】
また、例えば、日向栽培地Ｘにはパネル１３を考慮する必要がないため、陽光桜２の生育に影響がない範囲で密に植えることができるが、日陰栽培地Ｙにおいては、日照時間などを考慮する必要があるため密に陽光桜２を植えることができない。そこで、日向栽培地Ｘと日陰栽培地Ｙとの収穫量が同程度となるように、収穫量に基づいて日向栽培地Ｘと日陰栽培地Ｙの面積を設定しても良い。
【０１４９】
なお、パネル１３は必ずしも太陽光パネルである必要はなく、材質を問わず、板状体であればよい。例えば、金属製であっても、木製であっても良いし、高分子化合物であっても良いが、相当数のパネル１３を横材１２に沿って並べるため、パネル１３は、支柱１１及び横材１２で支えることが可能な程度に軽量であり、また、長時間直射日光を浴びるため、例えば、カーボン樹脂による板材のように、耐熱性を有する方が好ましい。
【符号の説明】
【０１５０】
１１…支柱
１３…パネル
１４…誘引紐
２…陽光桜
２１…葉張り
３…太陽
３２…日陰
５…スクリンプラ
Ｘ…日向栽培地
Ｙ…日陰栽培地
【図１】
2016054725.tif 000025
【図２】
2016054725.tif 000026
【図３】
2016054725.tif 000027
【図４】
2016054725.tif 000028
【図５】
2016054725.tif 000029
【図６】
2016054725.tif 000030
【図７】
2016054725.tif 000031
【図８】
2016054725.tif 000032